(57)【特許請求の範囲】
【請求項１】
情報記憶媒体を収納した一枚のブランクシートからなる情報記憶媒体収納体において、
上辺付近にカットテープまたはミシン目を設けてなる表面と、
表面の側辺のうち一辺に連設され、この辺で折り返される裏面と、
表面の他の三辺にそれぞれ連設され、それぞれの辺で折り返されて前記裏面と接着される綴じ代とを備え、
さらに、不織布面を有する袋に、前記情報記憶媒体が入れられ、前記表面と前記裏面を連接する辺に前記袋の開口部が向かうように、表面と裏面の間に、前記袋が収納されてなる情報記憶媒体収納体。
【請求項２】
前記請求項１記載の情報記憶媒体収納体を冊子体の紙片に貼り付けてなる
ことを特徴とする情報記憶媒体収納体付き冊子体。
【発明の詳細な説明】
【０００１】
【発明の属する技術分野】
本発明はＣＤ−ＲＯＭ等の情報記憶媒体を綴じた雑誌などの冊子体に関し、特にＣＤ−ＲＯＭを納めた収納体、それを貼り付けた冊子体に関する。
【０００２】
【従来の技術】
ＣＤ−ＲＯＭ等の情報記憶媒体は、近年、パンフレットと共に頒布、販売されてたり、月刊誌、週刊誌等に添付して店頭に陳列しつつ頒布、販売されたりする等、その流通形態が種々の分野に拡大されつつある。そのため、この情報記憶媒体を挟み込む厚紙や収納する袋等のＣＤホルダーに関する構成が多く示されている。
【０００３】
しかしながら、製本自体に切れ込みや袋とじ加工をするものは、その製本工程をより複雑なものとしていた。さらには、情報記憶媒体を収納する作業も複雑で困難なものであり、大量に頒布、販売する月刊誌、週刊誌などに適用するには不向きなものであった。
【０００４】
また、情報記憶媒体を収納体に封入し、これを冊子体に貼り付けるものも有った。しかし、ＣＤを取り出すには冊子体から収納体を剥がさねばならない。貼り付けが弱いと販売店までの送付途中で剥がれたり、店頭で立てて置いた場合やさらには立ち読みなど開いた時に剥がれたり、さらには店頭書店で盗難され易いなどの問題点が生じていた。逆に貼り付けが強いと収納体を冊子体から剥がす際に冊子体が破けるなどして見苦しいものであった。
【０００５】
また、一旦収納体を冊子体から剥がしてしまうと、収納体と冊子体が別々になり整理に困るものとなっていた。冊子体間に収納体を挟んだとしても冊子体を取り出す際に収納体が落ちたりして情報記憶媒体が傷つくなどの問題があった。
【０００６】
【発明が解決しようとする課題】
本発明はこのような問題点を解決するためになされたものであり、その課題とするところは、収納体を冊子体から剥がすことなく情報記憶媒体を取り出すことができる情報記憶媒体収納体および情報記憶媒体収納体付き冊子体に関する。
【０００７】
【課題を解決するための手段】
本発明はこの課題を解決するためになされたものであり、すなわち請求項１記載の発明は、情報記憶媒体を収納した一枚のブランクシートからなる情報記憶媒体収納体において、上辺付近にカットテープまたはミシン目を設けてなる表面と、表面の側辺のうち一辺に連設され、この辺で折り返される裏面と、表面の他の三辺にそれぞれ連設され、それぞれの辺で折り返されて前記裏面と接着される綴じ代とを備え、さらに、不織布面を有する袋に、前記情報記憶媒体が入れられ、前記表面と前記裏面を連接する辺に前記袋の開口部が向かうように、表面と裏面の間に、前記袋が収納されてなる情報記憶媒体収納体を提供する。
【０００８】
本発明はこの構成により、従来冊子体から情報記憶媒体収納体を剥がさなければならなかったものを、収納体の表面の上辺付近に設けたカットテープまたはミシン目を引き裂いて収納体を開けることで、収納体を冊子体から剥がすことなく情報記憶媒体を取り出すことが可能となった。またカットテープまたはミシン目は収納体の表面の上辺付近にあるので収納体を開けた際に冊子体を立てていても情報記憶媒体が落ちることはなく、かつ情報記憶媒体を上方に引き出すことで容易に取り出すことが可能である。さらに再度冊子体に貼り付けた収納体に情報記憶媒体を収納することも可能である。この場合も、収納体を開けた部分の上方から情報記憶媒体を収納体内に差し込むことで容易に再度収納可能となるものである。
【０００９】
また、図１に記載したように、前記情報記憶媒体収納体は一枚のブランクシートからなり、前記ブランクシートは上辺付近にカットテープまたはミシン目を設けた表面１と、表面の各辺に連接して折り返して裏面となる面２と綴じ代３、４、５とからなることを特徴とする請求項１記載の情報記憶媒体収納体である。
【００１０】
本発明はこの構成により、容易に収納体を設計でき、また収納体に情報記憶媒体を収納し製造可能なものとすることが可能となる。ここで綴じ代はすべて裏面に接着されることから、カットテープまたはミシン目は収納体に情報記憶媒体を収納する前に抜き加工などで容易に加工出来るものであり、かつ表面一面には貼り付ける冊子体に適合した印刷等も容易に行えるものとなる。
【００１１】
また、不織布を有する袋に情報記憶媒体を収納し、この袋を前記収納体に収納してなることを特徴とする請求項１記載の情報記憶媒体収納体である。
【００１２】
本発明はこの構成により、収納体より情報記憶媒体を取り出した際に記録保持面を衝撃等から保護すると共に、情報記憶媒体を再生機器などに装着するまでの持ち運びに使用でき、再度袋に入れる際に記録保護面に付着した埃等を吸着し、情報記憶媒体を入れて収納体に収納する際は、記録保持面を前記収納体のカットテープまたはミシン目により開いた部分によって傷つかないように保護することが可能となる。
【００１３】
また、前記袋の開口部が収納体内部側面に接するようにして収納体に収納してなることを特徴とする請求項１記載の情報記憶媒体収納体である。
【００１４】
本発明はこの構成により、袋の開口部が収納体上面に有る場合の袋を取り出す際に袋が収納体の開いた部分に引っ掛かることにより取り出し難かったり袋内部の情報記憶媒体自体に手を入れてしまって情報記憶媒体の記録保護面を傷つけることや、袋の開口部が収納体下面に有る場合の袋を取り出す際に情報記憶媒体が収納体内部に落ちてしまう、といった問題を容易に回避することが可能となり、より容易に情報記憶媒体を入れた袋を収納体より取り出すことが可能となる。
【００１５】
また、請求項２の発明は、前記請求項１記載の情報記憶媒体収納体を冊子体の紙片に貼り付けてなることを特徴とする情報記憶媒体収納体付き冊子体である。
【００１６】
本発明はこの構成により、上記作用効果を有する情報記憶媒体収納体を貼り付けた冊子体を得ることが可能となる。
【００１７】
以下、本発明の実施の形態について、図面に基づき詳細に説明する。
図１に本発明の情報記憶媒体収納体の一実施例の展開図を示す。
表面１の各面に裏面２と綴じ代３、４、５が連接されてなる構成となっており、表面にはその上部付近にカットテープが抜き加工にて設けてある。表面には適宜印刷６を設けることも可能である。
【００１８】
図２に本発明の情報記憶媒体収納体に収納する袋の一例を示す。
袋７は不織布８に透明フィルム９を接着してなり、一辺に開口部１０を有し、ここより記録保持面を不織布側となるようにして情報記憶媒体１１を入れる。透明フィルムであることにより、内容物が確認可能とすることが可能となる。袋の製造方法は通常の方法により可能である。
【００１９】
図３に基づきこのようにして情報記憶媒体を入れた袋を収納体に収納する方法を説明する。
表面１の裏に、情報記憶媒体１１を入れた袋７をその開口部１０を収納体側面になるようにして配し、裏面２を折り込み、綴じ代３、４、５を裏面に接着することにより収納体１２を製造できる。この際、袋の開口部を向ける収納体側面は裏面２を折り込む側にあることが、袋７より情報記憶媒体の外れやずれなどを防止することが出来るので好ましい。
【００２０】
以下、情報記憶媒体収納体付き冊子体の製造方法について、図４以降と共に説明する。
まず、収納体１２が貼着される紙片を有する用紙が折り丁１３に折り畳まれ、前記紙片は折り丁１３の最も外側に位置し、紙片の外側に、情報記憶媒体１１が収納された収納体１２が粘着される。
この収納体１２の粘着作業は、折り丁１３の最も外側の紙片に対して行われるため、簡単にしかも迅速に行われる。
【００２１】
次に収納体１２が粘着された多数の折り丁１３は丁合機に供給される。
丁合機２０はホッパ２２、アッパーシリンダ２４、オープニングシリンダ２６、ラップシリンダ２８、ギャザリングチェーン３０等を供え、収納体１２が粘着された多数の折り丁１３はホッパ２２に載せされる。
そして、丁合機２０の駆動により、アッパーシリンダ２４、オープニングシリンダ２６、ラップシリンダ２８が回転すると共に、ギャザリングチェーン３０が移動する。
ホッパ２２に載せられた折り丁１３は、サッカー３２が揺動してサッカー３２先端の吸盤３４により引き出され、アッパーシリンダ３４のアッパーシリンダ爪３６により折り丁１３の背が挟まれ、アッパーシリンダ２４の回転により折り丁１３はアッパーシリンダ２４の胴部に巻き付くように回転移動される。
この時、収納体１２の背寄りに位置する部分と、背との間の寸法が２３ｍｍ程度に設定されているため、サッカー３２先端の吸盤により吸着された折り丁１３の背側の部分が湾曲でき、従ってサッカー３２先端の吸盤３４による折り丁１３の引き出しと、アッパーシリンダ爪３６による折り丁１３の背の挟み込み動作が、何ら設計変形を加えることなく従来の丁合機により円滑に行われる。
【００２２】
そして、図５に示すように、アッパーシリンダ２４の回転に伴い折り丁１３がアッパーシリンダ２４と共に回転移動し、図６に示すように、ほぼ１８０度程度アッパーシリンダ２４が回転した状態で、アッパーシリンダ爪３６による折り丁の挟み込みが解除され、同時に、オープニングシリンダ爪３６とラップシリンダ爪４０とによりそれぞれ折り丁１３の小口側が挟み込まれる。
そして今度は、オープニングシリンタ爪３８とラップシリンダ爪４０とによる挟み込みによりオープニングシリンダ２６とラップシリンダ２８の回転に伴って折り丁１３がアッパーシリンダ爪２４の胴部から抜き出され下方に移動する。
やがて図７に示すように、オープニングシリンダ爪３８とラップシリンダ爪４０による挟み込みが解除され、図８に示すように、オープニングシリンダ２６とラップシリンダ２８の回転に伴って折り丁１３は小口が開かれた状態でギャザリングチェーン３０上に落下し、このようにして多数の折り丁１３がギャザリングチェーン３０上に開かれた状態で重ね合わされていく。
【００２３】
丁合機２０により折り丁１３が重ね合わされ、最も外側に表紙が重ねられたならば、綴針金により背が中綴され、最後に三方断裁がなされる。
三方断裁では、本の天側、地側、小口側がそれぞれまくらで押えられつつ天、地、小口の断裁がさなれるが、実施例では、収納体１２の本の小口寄りに位置する部分と、本の小口との間の寸法が３５ｍｍ程度に設定され、収納体１２の本の天寄りに位置する部分と、本の天との間の寸法が４０ｍｍ程度に設定され、収納体１２の本の地寄りに位置する部分と、本の地との間の寸法が４０ｍｍ程度に設定されているので情報記憶媒体２に干渉することなく、言い換えると、情報記憶媒体２を破損することなくまくらによる押さえ付けがなされ、従って何ら仕様変更することなく従来の三方断裁機により本の天側、地側、小口側が三方断裁される。
【００２４】
【発明の効果】
以上に示したように、本発明により、収納体を冊子体から剥がすことなく情報記憶媒体を取り出すことができる情報記憶媒体収納体および情報記憶媒体収納体付き冊子体を提供することが可能となった。
【００２５】
また、前記情報記憶媒体収納体を一枚のブランクシートからなるものとし、前記ブランクシートの上辺付近にカットテープまたはミシン目を設けた表面１と、表面の各辺に連接して折り返して裏面となる面２と綴じ代３、４、５とからなることを特徴とすることで、容易に収納体を設計でき、また収納体に情報記憶媒体を収納し製造可能なものとすることが可能となる。ここで綴じ代はすべて裏面に接着されることから、カットテープまたはミシン目は収納体に情報記憶媒体を収納する前に抜き加工などで容易に加工出来るものであり、かつ表面一面には貼り付ける冊子体に適合した印刷等も容易に行えるものとなる。
【００２６】
また、不織布を有する袋に情報記憶媒体を収納し、この袋を前記収納体に収納することにより、収納体より情報記憶媒体を取り出した際に記録保持面を衝撃等から保護すると共に、情報記憶媒体を再生機器などに装着するまでの持ち運びに使用でき、再度袋に入れる際に記録保護面に付着した埃等を吸着し、情報記憶媒体を入れて収納体に収納する際は、記録保持面を前記収納体のカットテープまたはミシン目により開いた部分によって傷つかないように保護することを可能とした。
【００２７】
また、前記袋の開口部が収納体内部側面に接するようにして収納体に収納することで、袋の開口部が収納体上面に有る場合の袋を取り出す際に袋が収納体の開いた部分に引っ掛かることにより取り出し難かったり袋内部の情報記憶媒体自体に手を入れてしまって情報記憶媒体の記録保護面を傷つけることや、袋の開口部が収納体下面に有る場合の袋を取り出す際に情報記憶媒体が収納体内部に落ちてしまう、といった問題を容易に回避することが可能となり、より容易に情報記憶媒体を入れた袋を収納体より取り出すことを可能とした。
【００２８】
また、前記情報記憶媒体収納体を冊子体の紙片に貼り付けることで上記作用効果を有する情報記憶媒体収納体を貼り付けた冊子体を得ることを可能とした。
【図面の簡単な説明】
【図１】本発明の情報記憶媒体収納体の一実施例の展開例を示す説明図である。
【図２】本発明の情報記憶媒体収納体に収納する袋の構造を示す説明図である。
【図３】本発明の情報記憶媒体収納体の製造工程を示す説明図である。
【図４】丁合機の要部正面図である。
【図５】丁合機の要部正面図である。
【図６】丁合機の要部正面図である。
【図７】丁合機の要部正面図である。
【図８】丁合機の要部正面図である。
【符号の説明】
１…表面  ２…裏面  ３…綴じ代  ４…綴じ代  ５…綴じ代  ６…印刷
７…袋  ８…不織布  ９…透明フィルム  １０…開口部  １１…情報記憶媒体
１２…収納体  １３…折り丁
２０…丁合機  ２４…アッパーシリンダ  ２６…オープニングシリンダ
２８…ラップシリンダ  ３０…ギャザリングチェーン
【図１】
0004106760.tif 000002
【図２】
0004106760.tif 000003
【図３】
0004106760.tif 000004
【図４】
0004106760.tif 000005
【図５】
0004106760.tif 000006
【図６】
0004106760.tif 000007
【図７】
0004106760.tif 000008
【図８】
0004106760.tif 000009